(57)【要約】  本発明は、土に差し込まれる容器（２）を含む。その容器（２）の上部には、水を供給するための部材（３）と、容器の形を定めるための部材（１４）が設けられている。一方で、容器（２）の下部には、土の中に水の小滴を連続的に流出させるための部材（１５）が設けられている。その容器（２）は、可撓性材料で作られている、管状部材（５）を具え、水を供給する部材（３）、含水量を示す部材(13)及び空気を逃がす部材（１７）を具える。
2013521816.tif 000002
【特許請求の範囲】
【請求項１】
植木鉢の土塊（４）に差し込まれた貯水器（２）を含み、該貯水器（２）が、その上部に、水を供給するための部材（３）及び、前記貯水器（２）の形を定めるための部材（１４）を具え、その底部に、前記土塊（４）に小滴の形で水を連続的に流出させるための部材（１５）を具えることを特徴とする、
植木鉢及び屋外土壌植栽に適した浸透及び/又は点滴灌水装置。
【請求項２】
前記貯水器（２）が、好ましくは可撓性材料で作られた、少なくとも１つの管状部材（５）を具え、輪状構造においては、他の同一形状の管状部材（５）で塞ぐ、及び/又は連結するための部材（８）をその末端に具える、請求項１の点滴灌水装置。
【請求項３】
前記水を供給するための部材（３）が、前記貯水器（２）の上部にある開口部（９）、灌水チューブ（１０）、じょうご（１１）、浮き（１２）、水の量を表示するバー（１３）、前記貯水器（２）の上部にある連結口（１８）及び空気を逃がすパイプ（１７）を具える、請求項１の点滴灌水装置。
【請求項４】
前記貯水器（２）の形を定める部材（１４）が、前記管状部材（５）のそれぞれの上部と一体の半剛体ロッド（１３）からなる、請求項１の点滴灌水装置。
【請求項５】
前記貯水器（２）から前記土塊（４）へ小滴の形で水を連続的に流出させる手段が、前記管状部材（５）のそれぞれの底部にある多孔質材料で作られた細長片（１５）からなる、請求項１の点滴灌水装置。
【発明の詳細な説明】
【発明の目的】
【０００１】
本発明は、植木鉢及び屋外土壌植栽に適した浸透及び/又は点滴灌水装置に関する。
【技術分野】
【０００２】
屋内及び/又は屋外で使用される観賞植物を収納することを目的とした、植木鉢、プランタなど、及び空間の構築及び用途に関する。
【背景技術】
【０００３】
最も広く知られている植木鉢及びプランタは、水遣りしない比較的長期間を見越して、水を蓄えておきたい場合、コンテナに詰められた土塊を湿らせるために、コンテナの底の部分に水が張られる。しかしながら、実際にはこの効果は、土が湿り、故に、不規則且つ不十分な方法で、植物の根の湿りが下から上へ起きるというように、部分的に達成されるのみである。
【０００４】
それ故に、実質的に自動で、熱による蒸発の恐れが全くなく、上から下へ作用し、且つ、調節可能な長時間効果のある灌水システムが望まれていた。
【発明の概要】
【０００５】
上記の問題を解決するために、この発明の灌水装置が案出され、これは、全ての種類の植木鉢及び屋外土壌に適しており、比較的時間的な隔たりがある各水遣りの間も植物に水が注がれている状態を保ち、植物に添加物を供給することを可能にし、その異なるタイプに適合する。根の周りの土に水を運ぶことは、灌水及び/又は浸透によって行われ、それ故、比較的、長時間作用する能力を具える。
【０００６】
説明の便宜のために、本発明の説明には、図を添付しており、その図の中には、浸透及び/又は点滴灌水装置の１つの実施例が、請求項に従って実例で示されているが、本発明は、これに限定されるものではない。
【図面の簡単な説明】
【０００７】
【図１】図１は、６つの基本的な図によって、本発明の灌水装置の構造を示す。
【図２】図２は、末端で連結された１つ以上の曲線からなる管状部材によって形が定まる、本発明の灌水装置の好ましい実施形態の斜視図。
【図３】図３は、直線に配置された、離れた状態の２つの管状部材を示す。
【図４】図４は、水を供給するための部材が結合されている、２ヶ所で曲げられた管状部材のうちの１つの斜視図。
【図５】図５は、図３の２つの管状部材が直線に配置され、連結された状態を示す。
【図６】図６は、図４の管状部材の平面図を示す。
【図７】図７は、図４の管状部材の平面図を示す。
【図８】図８は、図３の２つの管状部材が直線に配置され、連結された状態を示す。
【図９】図９は、２つの管状部材が円状に連結された図２の装置の平面図である。
【図１０】図１０は、空の状態の垂直面により、本発明の灌水装置の切断面を示す。
【図１１】図１１は、満水状態の垂直面により、本発明の灌水装置の切断面を示す。
【発明を実施するための形態】
【０００８】
図面中において、数字で指定された構成部材は、下記に示された部材に相当する。
【０００９】
植木鉢１に設置された、ここに記載された装置は、（図１Ｅによると）好ましくは、構成部材３によって、その中に一定量の水が導かれる、容器本体、すなわち、貯水器２からなる。水は、浸透及び/又は点滴灌水システムにより、貯水器２から植木鉢の土塊４へと流れる。これは、連続的な非常に小さな流れ(小滴)であり、持続的に土壌を確実に湿らせる。
【００１０】
容器本体２（図２）は、好ましくは少なくとも１つの管状部材５によって形成される。管状部材５は、図１０及び図１１で示されるように、楕円形の断面又はそのような断面であることが好ましく、ゴム及び、プラスチック又は、半剛体のような可撓性材料で作られている。
【００１１】
図２に示される実施例では、２つの結合された管状部材５が、輪を形成していることが示されている。また、２つの連結された管状部材５は、同じ楕円形の断面を持ち、それぞれの断面が、管状部材５の内側と同じ形、及び大きさである拡張部７及び８を具える、連結部材６との結合によってそれらの末端で連結されている。
【００１２】
図５及び８の実施例においては、２つの管状部材５は直線の配置で連結される。
【００１３】
図２の中の２つの管状部材５の替わりに、（図７に示されるような）１つあるいは３つ以上の部材が、連続的な注水装置が設置されるべき植木鉢又はプランタの大きさによって、便宜的に使用されてもよい。
【００１４】
管状部材５の１つは、その上部に開口部９を有し、開口部９は、じょうご１１が連結された灌水チューブ１０と連結されている。浮き１２は、じょうご１１の中にあり、バー１３は、貯水器２の中にある水の量を示す。この組立体３は、図１Ｅの場合、装置の水の充填をコントロールするだけでなく、植物に添加物を投与するためにも使用される。  
【００１５】
任意で、灌水チューブ１０の頭部には、確実に長時間液体を供給し続けるため、水が入っている（上下逆さまの）ボトルと、ねじで連結するのに適したねじ山を設けてもよい。
【００１６】
管状部材５の１つは、その上部に開口部９を有し、開口部９は、連結口１８と連結され、連結口１８は、灌水チューブ１０を通して水が入り易くするために、容器本体、すなわち、貯水器２から空気を逃がすためのチューブ１７と連結される。この空気を逃がすパイプ１７は、灌水チューブ１０に付けられるか、或いは、管状部材５の上部のどこか他の部分に配置されてもよい。
【００１７】
各管状部材５の上ぶは、可撓性で、形が変えられるロッド１４を含む。このロッド１４により、容器本体、すなわち、貯水器２を、土塊４に設置するために適した形にすることができる。
【００１８】
各管状部材５の底部には、多孔質材料で作られた細長片１５を具え付けることができる、長手方向のスロットがある。本発明の核心となる、浸透及び/又は滴下灌水システムを構成する小滴は、細長片１５を通過する。
【図１Ａ】
2013521816.tif 000003
【図１Ｂ】
2013521816.tif 000004
【図１Ｃ】
2013521816.tif 000005
【図１Ｄ】
2013521816.tif 000006
【図１Ｅ】
2013521816.tif 000007
【図１Ｆ】
2013521816.tif 000008
【図２】
2013521816.tif 000009
【図３】
2013521816.tif 000010
【図４】
2013521816.tif 000011
【図５】
2013521816.tif 000012
【図６】
2013521816.tif 000013
【図７】
2013521816.tif 000014
【図８】
2013521816.tif 000015
【図９】
2013521816.tif 000016
【図１０】
2013521816.tif 000017
【図１１】
2013521816.tif 000018
【国際調査報告】
2013521816.tif 000019
2013521816.tif 000020
2013521816.tif 000021
2013521816.tif 000022
2013521816.tif 000023
2013521816.tif 000024